(57)【要約】【課題】スマートグラスのズレや落下を防止することができ、且つスマートグラスの取付位置を装着者が視認可能な高さ位置に予め設定することができるスマートグラス付ヘルメットの提供。【解決手段】ヘルメット本体２は、外周縁部の前側から前方に延びる鍔部１１を有する。スマートグラス３は、グラス本体２０と、グラス本体２０に対して固定される支持部２１とを有し、鍔部１１の下方に配置される。固定部材５，６は、鍔部１１と支持部２１との間にスペーサ４が介在した状態で、支持部２１を鍔部１１に対して固定する。【選択図】図１
2019007111.tif 000002
【特許請求の範囲】
【請求項１】
外周縁部の前側から前方に延びる鍔部を有するヘルメット本体と、
グラス本体と、前記グラス本体に対して固定される支持部とを有し、前記鍔部の下方に配置されるスマートグラスと、
前記鍔部と前記支持部との間に介在するスペーサと、
前記スペーサが前記鍔部と前記支持部との間に介在した状態で、前記支持部を前記鍔部に対して固定する固定部材と、を備える
ことを特徴とするスマートグラス付きヘルメット。
【発明の詳細な説明】
【技術分野】
【０００１】
本発明は、スマートグラス付ヘルメットに関する。
【背景技術】
【０００２】
特許文献１には、位置合わせ機構部を保持する取り付け部材を有する装着型電子めがね装置が記載されている。位置合わせ機構部は、光学ユニットである電子めがね本体の中央部に装着されてこれを保持し、この光学ユニットを３次元的に位置設定と固定を可能とする。取り付け部材は、帽子の鍔の外周部を両側から上下に挟み込んでホールドし、帯状部材の先端部が連結され、帯状部材を介して位置合わせ機構部を保持する。
【先行技術文献】
【特許文献】
【０００３】
【特許文献１】国際公開第２００７−０２９６７５号
【発明の概要】
【発明が解決しようとする課題】
【０００４】
上記構造では、帽子（ヘルメット）の鍔の外周部を両側から上下に挟み込んでホールドし、位置合わせ機構部を保持する取り付け部材と、電子めがね本体（スマートグラス）を保持する位置合わせ機構部とによって、スマートグラスがヘルメットに取付けられている。このため、スマートグラスの重量が重い場合、取り付け部材がスマートグラスを保持する位置合わせ機構部を保持しきれず、ヘルメットの鍔に対するスマートグラスのズレが生じる可能性や、取り付け部材が鍔から外れてスマートグラスが落下するおそれがある。
【０００５】
また、スマートグラスの取付位置を装着者が視認可能な高さ位置に設定するには、装着者が帽子を着用した状態で、位置合わせ機構部を移動調整して位置設定する必要があるので、取付位置の設定作業が煩雑化するおそれがある。
【０００６】
そこで、本発明は、スマートグラスのズレや落下を防止することができ、且つスマートグラスの取付位置を装着者が視認可能な高さ位置に予め設定することができるスマートグラス付ヘルメットの提供を目的とする。
【課題を解決するための手段】
【０００７】
上記目的を達成すべく、本発明のスマートグラス付ヘルメットは、ヘルメット本体と、スマートグラスと、スペーサと、固定部材とを備える。ヘルメット本体は、外周縁部の前側から前方に延びる鍔部を有する。スマートグラスは、グラス本体と、グラス本体に対して固定される支持部とを有し、鍔部の下方に配置される。スペーサは、鍔部と支持部との間に介在する。固定部材は、スペーサが鍔部と支持部との間に介在した状態で、支持部を鍔部に対して固定する。
【０００８】
上記構造では、ヘルメット本体の鍔部とスマ―トグラスの支持部との間にスペーサが介在した状態で、固定部材によって支持部を鍔部に対して固定する。このため、例えば、厚さの異なる複数種類のスペーサを用意し、装着者が視認可能な高さ位置に応じたスペーサを用いることによって、スマートグラスの高さ位置を装着者が視認可能な高さ位置に予め設定した状態で、スマートグラスをヘルメット本体の鍔部に固定することができる。従って、スマートグラスの重量が重い場合であっても、スマートグラスのズレや落下を防止することができ、且つスマートグラスの取付位置を装着者が視認可能な高さ位置に予め設定することができる。
【発明の効果】
【０００９】
本発明によれば、スマートグラスのズレや落下を防止することができ、且つスマートグラスの取付位置を装着者が視認可能な高さ位置に予め設定することができる。
【図面の簡単な説明】
【００１０】
【図１】本発明の一実施形態のスマートグラス付ヘルメットを示す斜視図である。
【図２】図１の側面図である。
【図３】図１のIII−III矢視断面図である。
【図４】本発明の変形例を示す断面図である。
【発明を実施するための形態】
【００１１】
以下、本発明の一実施形態に係るスマートグラス付ヘルメット１について、図を参照して説明する。なお、各図において、ＦＲはヘルメットの前方を、ＵＰは上方をそれぞれ示す。また、以下の説明において、左右方向は、ヘルメットの装着者が前方を視ている状態での左右方向を意味する。
【００１２】
図１〜図３に示すように、スマートグラス付きヘルメット１は、ヘルメット本体２と、スマートグラス３と、ヘルメット本体２とスマートグラス３との間に介在する左右１対のスペーサ４と、スペーサ４がヘルメット本体２とスマートグラス３との間に介在した状態でスマートグラス３をヘルメット本体２に対して固定するための前後の固定ボルト（固定部材）５，６とを備える。
【００１３】
ヘルメット本体２は、装着者の頭部の上部をドーム状に覆う形状に形成される帽体部１０と、帽体部１０の外周縁部の前側から前方へ略平板状に延びる鍔部１１と、ヘルメット本体２を装着者の頭部へ保持する着装体部１２とを有する。帽体部１０の内側には、頭部に加わる衝撃をやわらげる衝撃吸収ライナ（図示省略）が設けられる。鍔部１１の左右方向の両端部には、前後の固定ボルト５，６のボルト軸２７，２８が挿通可能な前ボルト挿通孔１３及び後ボルト挿通孔１４が形成される。帽体部１０の外周縁の左右方向両側と後側、及び鍔部１１の左右方向両端縁には、上方へ曲接して延びるリブ部１５が連続して形成される。
【００１４】
図３に示すように、着装体部１２は、ヘッドバンド部１６と、ハンモック部１７と、耳紐部１８と、顎紐部１９とを有し、ヘルメット本体２を装着者の頭部に保持する。なお、図１及び図２には左側の耳紐部を図示し、図３及び図４には右側の耳紐部を図示している。
【００１５】
ヘッドバンド部１６は、円環状に形成され、帽体部１０の内側下端にヘッドバンド部１６の外側が固定されることによって、ヘルメット本体２に取付けられている。ヘッドバンド部１６の内側は、装着者がヘルメット本体２を装着したヘルメット装着状態で、装着者の頭部に当接する。ハンモック部１７は、帽体部１０の内側上部に配置され、頭頂から放射状に延びる複数の脚部２２を有する。脚部２２の下端部は、ヘッドバンド部１６に固定される。ハンモック部１７は、ヘルメット装着状態で、装着者の頭部に載置される。
【００１６】
耳紐部１８は、ヘッドバンド部１６の左右方向の両側に設けられ、両端部がヘッドバンド部１６に固定された状態でヘッドバンド部１６から垂下する。顎紐部１９は、左右の耳紐部１８からそれぞれ垂下する左右両端部を有し、左右の耳紐部１８を連結する。顎紐部１９には、顎紐部１９の長さを調節可能な調節部（図示省略）が設けられており、顎紐部１９の長さを装着者の頭部の大きさにあった長さに調節することができる。
【００１７】
ヘッドバンド部１６の内側が装着者の頭部に当接し、ハンモック部１７が装着者の頭部に載置され、装着者の両耳を囲うように左右の耳紐部１８が配置され、顎紐部１９が装着者の顎にひっかけられることによって、ヘルメット本体２は装着者の頭部に保持される。
【００１８】
図１に示すように、スマートグラス３は、グラス本体２０と、グラス本体２０に対して固定されるグラス支持部（支持部）２１とから概略構成され、グラス本体２０は、メガネ型のフレーム部２５と、フレーム部２５に固定される左右のレンズ２６とによって概略構成され、ヘルメット本体２の鍔部１１の下方に配置される。フレーム部２５には、左右のレンズ２６へ映像を投影する投影装置（図示省略）が設けられ、左右のレンズ２６には、映像が投影される投影部（図示省略）が設けられる。
【００１９】
グラス支持部２１は、フレーム部２５の左右方向の両端部の後面から後方へそれぞれ延びる。左右のグラス支持部２１には、前後の固定ボルト５，６のボルト軸２７，２８が挿通可能な前固定ボルト挿通孔２３及び後固定ボルト挿通孔２４がそれぞれ形成される。左側のグラス支持部２１ａの後端には、配線ケーブル９が接続されるケーブル接続孔（図示省略）が形成される。
【００２０】
左右のスペーサ４は、鍔部１１の左右方向の両端部の下面と、左右のグラス支持部２１の上面との間にそれぞれ配置される。左右のスペーサ４には、前後の固定ボルト５，６のボルト軸２７，２８が挿通可能な前固定ボルト挿通孔３０及び後固定ボルト挿通孔３１が形成される。様々な装着者が視認可能な高さ位置に、スマートグラス３の高さ位置を設定するために、厚さの異なる複数種類のスペーサが用意される。
【００２１】
次に、ヘルメット本体２に対してスマートグラス３を固定する方法について説明する。
【００２２】
図３に示すように、ヘルメット本体２に対してスマートグラス３を固定する際は、先ず、装着者が視認可能な高さ位置に応じたスペーサ４を選択し、ヘルメット本体２の鍔部１１の左右方向の両端部の下面に左右のスペーサ４の上面を重ね、スマートグラス３の左右のグラス支持部２１の上面に左右のスペーサ４の下面を重ねる。次に、鍔部１１の両端部の前固定ボルト挿通孔１３及び後固定ボルト挿通孔１４と、左右のスペーサ４の前固定ボルト挿通孔３０及び後固定ボルト挿通孔３１と、左右のグラス支持部２１の前固定ボルト挿通孔２３及び後固定ボルト挿通孔２４とをそれぞれ合わせる。最後に、前固定ボルト挿通孔１３，３０，２３に上方から前固定ボルト５を挿通し、後固定ボルト挿通孔１４，３１，２４に上方から後固定ボルト６を挿通し、前固定ボルト５及び後固定ボルト６に前固定ナット７及び後固定ナット８を螺合することによって、スマートグラス３がスペーサ４を介してヘルメット本体２に固定される。
【００２３】
本実施形態によれば、ヘルメット本体２の鍔部１１とスマ―トグラス３のグラス支持部２１との間にスペーサ４が介在した状態で、前後の固定ボルト５，６によってグラス支持部２１を鍔部１１に対して固定する。このため、例えば、厚さの異なる複数種類のスペーサを用意し、装着者が視認可能な高さ位置に応じたスペーサを用いることによって、スマートグラス３の高さ位置を装着者が視認可能な高さ位置に予め設定した状態で、スマートグラス３をヘルメット本体２の鍔部１１に固定することができる。従って、スマートグラス３の重量が重い場合であっても、スマートグラス３のズレや落下を防止することができ、且つスマートグラス３の取付位置を装着者が視認可能な高さ位置に予め設定することができる。
【００２４】
なお、本実施形態では、厚さの異なる複数種類のスペーサを用意し、装着者が視認可能な高さ位置に応じたスペーサ４を用いることによって、スマートグラス３の高さ位置を装着者が視認可能な高さ位置に予め設定する構造を例示している。しかし、スマートグラス３の高さ位置を装着者が視認可能な高さ位置に予め設定する構造は、これに限定されるものではなく、例えば、図４に示すように、前後の固定ボルト５，６のボルト軸２７，２８が挿通可能な前固定ボルト挿通孔３３及び後固定ボルト挿通孔３４が形成される同じ厚さのスペーサ３２を複数用意し、装着者が視認可能な高さ位置になるように複数枚のスペーサ３２を重ね、重ねた状態で複数のスペーサ３２を鍔部１１とグラス支持部２１との間に介在させ、前固定ボルト５及び後固定ボルト６によってスペーサ４を介してスマートグラス３をヘルメット本体２に固定することにより、スマートグラス３の高さ位置を装着者が視認可能な高さ位置に予め設定する構造であってもよい。
【００２５】
また、前後の固定ボルト５，６によって、ヘルメット本体２の鍔部１１に対してスマートグラス３のグラス支持部２１が固定される構造を例示しているが、これに限定されるものではなく、スペーサ４が鍔部１１とグラス支持部２１との間に介在した状態で、固定部材によってグラス支持部２１が鍔部１１に対して固定される構造であればよい。
【００２６】
以上、本発明について、上記実施形態に基づいて説明を行ったが、本発明は、上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【産業上の利用可能性】
【００２７】
本発明は、スマートグラスが固定される様々なヘルメットに適用することができる。
【符号の説明】
【００２８】
１  スマートグラス付きヘルメット
２  ヘルメット本体
３  スマートグラス
４，３２  スペーサ
５  前固定ボルト（固定部材）
６  後固定ボルト（固定部材）
９  配線ケーブル
１０  帽体部
１１  鍔部
１２  着装体部
１６  ヘッドバンド部
１７  ハンモック部
１８  耳紐部
１９  顎紐部
２０  グラス本体
２１  グラス支持部（支持部）
２５  フレーム部
２６  レンズ
【図１】
2019007111.tif 000003
【図２】
2019007111.tif 000004
【図３】
2019007111.tif 000005
【図４】
2019007111.tif 000006